(57)【要約】      （修正有）【課題】取っ手を調理容器に取付ける際の操作時に、手指の表皮を取っ手本体の下部にあるレバーとハウジング間に挟むという危険がなく、自立させて置く他に横置きでも安定した状態でテーブルに置いておける機能と、フックに吊下げて保管できる機能を兼ね備えた、取外し可能な取っ手を提供する。【解決手段】調理容器の端部に着脱自在に取付けられる取外し可能な取っ手１の把持操作をする操作部材１１ならびに、把持状態を開放するロックピンを共に上部本体１０の上面に備え、ロックピンカバー１３を展開位置へ押し上げないと、把持状態のロックを解除するロックピンの押下ができない構造とし、また、取っ手１の後端側に貫通孔７１を穿設し、貫通孔７１と連通した開口部７２を後端側の底面に設けることでフックへの吊下げも可能とする。【選択図】図６
2014108266.tif 000002
【特許請求の範囲】
【請求項１】
上部本体と、先端部に固定部が形成された下部本体と、
これら上部本体と下部本体の間に進退移動可能に配置され、
前記下部本体の固定部と対応した位置にグリップが形成されたクランパを備え、
前記クランパを移動させて前記下部本体固定部と前記クランパのグリップの間で容器端縁部を把持するようにした取っ手において、
前記クランパを進退移動させる操作部材を前記上部本体の上面側に開閉可能に設けるとともに、該操作部材の閉塞位置において前記グリップが前記下部本体固定部に移動するようにしたことを特徴とする取外し可能な取っ手。
【請求項２】
前記取っ手の後端側を底面として自立可能とするとともに、
前記取っ手の後端側にフック係入用の貫通孔を穿設したことを特徴とする請求項１に記載の取外し可能な取っ手。
【請求項３】
前記操作部材と前記クランパは連結部材を介して連結され、
前記操作部材を前記閉塞位置に回転操作したとき、
前記クランパは前記連結部材によって前記取っ手の後端側に後退し、
開放位置から閉鎖位置へ移動することを特徴とする請求項１ないし２に記載の取外し可能な取っ手。
【請求項４】
前記操作部材を前期閉塞位置へ回転操作することで、前期クランパが開放位置から閉鎖位置へ移動し、容器端縁部を把持した状態でロックされるロック手段を有することを特徴とする請求項１ないし３のいずれかに記載の取外し可能な取っ手。
【請求項５】
前記ロック手段は、上下動可能なロックピンと、
前記クランパに形成された前記ロックピンと係合する貫通孔を有しており、
前記ロックピンがロック位置のときに前記貫通孔と係合して前記クランパの移動を阻止することを特徴とする請求項４に記載の取外し可能な取っ手。
【請求項６】
前記ロックピンはバネによって作動位置とロック位置間を移動可能とし、
前記ロックピンを押下することで、前記ロックピンの小径部が前記クランパに形成した摺動案内孔と係合して、前記クランパの移動を可能とすることを特徴とする請求項４ないし５に記載の取外し可能な取っ手。
【請求項７】
前記ロックピンは、直上にロックピンカバーが設けられ、
前記ロックピンカバーを展開方向へ押上げると前記ロックピンを押下できるように構成したことを特徴とする請求項４ないし６に記載の取外し可能な取っ手。
【請求項８】
前記ロックピンカバーはバネによって上部本体に対して閉塞方向に付勢されていることを特徴とする請求項７に記載の取外し可能な取っ手。
【請求項９】
前記グリップの下端部に平面部を設け、上部本体を上側にした姿勢で横置きを可能にしたことを特徴とする請求項１から３のいずれかに記載の取外し可能な取っ手。
【発明の詳細な説明】
【技術分野】
【０００１】
本発明は、調理用の鍋、またはフライパン、その他の容器に使用する取外し可能な取っ手に関するものである。
【背景技術】
【０００２】
調理容器用の取外し可能な取っ手は、大きさや形態が異なる多様な種類の調理容器の取っ手として用いることができ、調理したり、運んだりする場合には調理容器に取っ手を結合して、一方、保管をする場合には取っ手を調理容器から分離することで保管をし易くなる。また、調理容器の保管に際しても取っ手がないので少ない空間で保管でき、非常に便利である。
【先行技術文献】
【特許文献】
【０００３】
【特許文献１】特許第３９０５１０６号公報
【特許文献２】実用新案登録第３０７５３０３号公報
【０００４】
特許文献１に記載の取外し可能な取っ手は、展開位置にあるレバーを握ることによって引き込み位置へと回転させ、取っ手本体のハウジング内に入り込むことでトグル継ぎ手が作動し、把持部を形成する可動部材を閉鎖位置に移動させて調理容器の縁を安定してつかむものである。
【０００５】
特許文献２に記載の取外し可能な取っ手は、容器から取外したときに横置きではなく自立させて置いておくことができ、テーブルを広く使用することができるものである。
【発明の概要】
【発明が解決しようとする課題】
【０００６】
特許文献１の形態では、展開位置にあるレバーを握って引き込み位置へと回転させるもので、取っ手本体のハウジング内にレバーを引き込む際に、レバー外縁とほぼ同一形状で凹状に形成されるハウジング部の周縁と、前記レバー外縁の隙間に手や指の表皮を挟まれ怪我をする虞がある。また、構造が複雑で部品点数も多く組立てし難い構成でコスト高になってしまうという問題がある。
【０００７】
特許文献２の形態では、使用後の取外し可能な取っ手を保管する際に自立させて置くか収納スペースに収納しておくかの選択になり、他の調理用具、例えば、お玉やフライ返しのようにフックに引っ掛けて保管するような貫通孔がなく不便である。
【０００８】
本発明は、このような点に鑑みなされたもので、構造が簡単で組立てし易く、取っ手を調理容器に取付ける際の操作時に、手指の表皮を取っ手本体の下部にあるレバーとハウジング間に挟むという危険がなく、自立させて置く他に横置きでも安定した状態でテーブルに置いておける機能と、フックに吊下げて保管できる機能を兼ね備えた、取外し可能な取っ手を提供することを目的とする。
【課題を解決するための手段】
【０００９】
請求項１に記載の発明にあたっては、上部本体と、先端部に固定部が形成された下部本体と、これら上部本体と下部本体の間に進退移動可能に配置され、前記下部本体の固定部と対応した位置にグリップが形成されたクランパを備え、前記クランパを移動させて前記下部本体固定部と前記クランパのグリップの間で容器端縁部を把持するようにした取っ手において、前記クランパを進退移動させる操作部材を前記上部本体の上面側に開閉可能に設けるとともに、該操作部材の閉塞位置において前記グリップが前記下部本体固定部に移動するようにしたことを特徴とするものである。
【００１０】
請求項２に記載の発明にあたっては、前記取っ手の後端側を底面として自立可能とするとともに、前記取っ手の後端側にフック係入用の貫通孔を穿設したことを特徴とするものである。
【００１１】
請求項３に記載の発明にあたっては、前記操作部材と前記クランパは連結部材を介して連結され、前記操作部材を前記閉塞位置に回転操作したとき、前記クランパは前記連結部材によって前記取っ手の後端側に後退し、開放位置から閉鎖位置へ移動することを特徴とするものである。
【００１２】
請求項４に記載の発明にあたっては、前記操作部材を前期閉塞位置へ回転操作することで、上記クランパが開放位置から閉鎖位置へ移動し、容器端縁部を把持した状態でロックされるロック手段を有することを特徴とするものである。
【００１３】
請求項５に記載の発明にあたっては、前記ロック手段は、上下動可能なロックピンと、
前記クランパに形成された前記ロックピンと係合する貫通孔を有しており、前記ロックピンがロック位置のときに前記貫通孔と係合して前記クランパの移動を阻止することを特徴とするものである。
【００１４】
請求項６に記載の発明にあたっては、前記ロックピンはバネによって作動位置とロック位置間を移動可能とし、前記ロックピンを押下することで、前記ロックピンの小径部が前記クランパに形成した摺動案内孔と係合して、前記クランパの移動を可能とすることを特徴とするものである。
【００１５】
請求項７に記載の発明にあたっては、前記ロックピンは、直上にロックピンカバーが設けられ、前記ロックピンカバーを展開方向へ押上げると前記ロックピンを押下できるように構成したことを特徴とするものである。
【００１６】
請求項８に記載の発明にあたっては、前記ロックピンカバーはバネによって上部本体に対して閉塞方向に付勢されていることを特徴とするものである。
【００１７】
請求項９に記載の発明にあたっては、前記グリップの下端部に平面部を設け、上部本体を上側にした姿勢で横置きを可能にしたことを特徴とするものである。
【発明の効果】
【００１８】
本発明によれば、構造が簡単で組立てし易く、取っ手を調理容器に取付ける際の操作時に、手指の表皮を取っ手本体の下部にあるレバーとハウジング間に挟むという危険がなく、また、自立させて置く他に横置きでも安定した状態でテーブルに置いておける機能と、フックに吊下げて保管できる機能を兼ね備えた、取外し可能な取っ手を提供することができる。
【図面の簡単な説明】
【００１９】
【図１】本実施形態の取外し可能な取っ手を横置きにした状態を斜め上方から見た斜視図
【図２】本実施形態の取外し可能な取っ手を斜め上方から見た分解斜視図
【図３】本実施形態のロックピンカバーを閉塞方向へ付勢するトーションバネの取付け方を示す取外し可能な取っ手の長軸方向の断面斜視図
【図４】本実施形態の取外し可能な取っ手の把持状態を示し、（ａ）は長軸方向の断面図で、（ｂ）は内部構成部材の状態を説明する斜め上方から見た斜視図
【図５】本実施形態の取外し可能な取っ手の把持が開放された状態を示し、（ａ）は長軸方向の断面図で、（ｂ）は内部構成部材の状態を説明する斜め上方から見た斜視図
【図６】本実施形態のロックピンカバーを展開位置へ回転操作した状態を示す斜め上方から見た斜視図
【図７】フックの形状を示す斜め上方から見た斜視図
【図８】本実施形態の取外し可能な取っ手をフックに吊下げた状態を示す斜め上方から見た斜視図
【発明を実施するための形態】
【００２０】
以下に本発明の好適な実施の形態について、図面を参照しながら説明する。なお本実施の形態は一例であり、これに限定されるものではない。
【００２１】
図１、図２に示すように、本発明に係る取外し可能な取っ手１は、相互にガイド兼用ネジ２５とネジ２６によって接合される下部本体２０及び、上部本体１０からなる本体部２と、この本体部２を構成する下部本体２０の前端面との間に調理容器を挟み込んで把持するグリップ３１を有し、下部本体２０及び上部本体１０に挟み込まれた状態で前後に移動可能なクランパ３０を備えており、上部本体１０の中央からやや前方向には操作部材１１が軸ピン１２によって組み込まれる。操作部材１１は上部本体１０に対して回転軸１２ａの周りを展開位置から閉塞位置への回転操作ができるように装着されている。前記操作部材１１の前方には、上部本体１０に軸ピン１４によって組み込まれ、上部本体１０に対して回転軸１４ａの周りを閉塞位置から展開位置へ回転操作ができるようにロックピンカバー１３が装着されている。図３では、ロックピンカバー１３を展開位置へ回転操作した状態を示しており、ロックピンカバー１３は常に閉塞状態を保つようにトーションバネ１５によって付勢されている。
【００２２】
図４は、本実施形態の取外し可能な取っ手１の把持状態で、開放位置と閉鎖位置との間を自由に移動できるように設置されたクランパ３０が閉鎖位置にある状態を示し、図５は、本実施形態の取外し可能な取っ手１の把持が開放された状態で、前記クランパ３０が開放位置にある状態を示す。把持部３は下部本体２０の前端部に形成された固定部２１（図３）と、本体部２（図１）に対して、開放位置と閉鎖位置との間を自由に移動できるように設置されたクランパ３０で構成されている。
【００２３】
把持部３を構成するステンレス板材製のクランパ３０は、シリコン樹脂を材料としたグリップ３１を一体で形成しており、当該グリップ３１は下部本体２０に形成する固定部２１と協調的に働き、クランパ３０が閉鎖位置にあるときに調理容器の端縁部を把持する。前記グリップ３１の下端部には平面部３４を設けている。
【００２４】
開放用バネ３６は、クランパ３０の後端部３７と、下部本体２０に形成した開放用バネ収容部２２を構成している後面板２３との間に挟みこまれており、常にクランパ３０を開放方向に移動させる付勢力が働いている。
【００２５】
図５（ａ）、（ｂ）に示すように、クランパ３０が開放位置にあるとき、ロックピン５０の小径部５３は、クランパ３０に形成された摺動案内孔３８と係合しており、クランパ３０が閉塞位置へ自由に移動できる状態にある。また、ガイド兼用ネジ２５の軸長方向の中間部もクランパ３０の摺動案内孔３８と係合し、クランパ３０の開放位置、閉鎖位置間の移動をガイドしている。クランパ３０が開放位置にあり、閉塞位置へ自由に移動できる状態のときには、操作部材１１は上部本体１０に対して展開位置にある。
【００２６】
前記操作部材１１と前記クランパ３０は連結部材４０を介して連結されていて、操作部材１１を上部本体１０に対して閉塞位置方向へ回転操作することで、連結部材４０がクランパ３０を本体部２の後端側へ後退させ、調理容器を把持する閉鎖方向へと移動させる。
【００２７】
前記連結部材４０は、長手方向の一方の端部４１を軸ピン４３によって操作部材裏面に形成された連結部材係合部１６に回動自在に係合し、他方の端部４２は、クランパ３０に取付けた係合部材３２に軸ピン４４によって回動自在に係合される。前記係合部材３２は、ホルダ３３によってクランパ３０の後方位置に穿設した角孔３５の周縁部を挟み込むようにして固定されている。
【００２８】
ロックピン５０は、前記操作部材１１の前方向に備えられており、押下部５１、ストッパ部５２、小径部５３と、大径部５４が形成され、大径部５４の直下に配設されたロックピン用バネ５５は、大径部５４の下面と下部本体２０に形成したロックピン用バネ収容部２４の底板との間に挟みこまれており、ロックピン５０を上部本体１０側へ付勢している。
【００２９】
操作部材１１を上部本体１０に対して展開位置から閉塞位置へ回転操作すると、取外し可能な取っ手１で調理容器の端縁部を把持した状態でロックすることができる。把持した時の各部材の状態を図４（ａ）に示す。
【００３０】
クランパ３０は連結部材４０によって本体部２の後端側へ後退し閉鎖位置へ移動する。クランパ３０と一体に形成されたグリップ３１は下部本体２０の先端部に形成する固定部２１と協調的に働き調理容器の端縁部を把持する。そのとき上部本体１０側へロックピン用バネ５５によって付勢されているロックピン５０の大径部５４が、クランパ３０に貫通して形成した丸孔部３９に係合し、クランパ３０の移動がロックされる。（図４（ｂ））
【００３１】
図６に示すように、ロック状態を解除するには、前記ロックピンカバー１３を上部本体１０に対して展開方向へ押し上げながらロックピン５０の押下部５１を押下する。ロックピンカバー１３の前端部１７は指の爪側で開放方向へ押し上げることができるようにアーチ状に膨らみを持たせている。ロックピンカバー１３を設けたのは、不用意にロックピン５０が押下され、ロックが解除されてしまう危険性を回避するためである。
【００３２】
図５（ａ）、（ｂ）に示すように、押下によるロックピン５０の下方への押し下げ量はロックピン５０に形成されたストッパ部５２によって規制される。この状態で、ロックピン５０の大径部５４とクランパに貫通して形成した丸孔部３９との係合が解除され、再びロックピン５０の小径部５３がクランパ３０に形成した摺動案内孔３８と係合して、クランパ３０の移動が可能となり開放用バネ３６の付勢力によってクランパ３０は開放方向へ移動する。これによって調理容器の把持が開放され、取外し可能な取っ手１は、調理容器から取外すことが可能となり、操作部材１１は連結部材４０によって展開方向へ回動する。
【００３３】
図１〜図６に示すように、下部本体２０の前端部の外側には、板金の折り曲げ加工によって形成されたカバー６０が、ガイド兼用ネジ２５によって下部本体２０とともに上部本体１０に接合されることで、下部本体２０の前端部に形成する固定部２１の成形外観を良くするために設けた肉抜き部を覆い隠し、体裁を良くしている。
【００３４】
次に調理容器から取外したときに、取っ手を置ける姿勢ならびに、取っ手収納時に他の調理用具と同様にフック（図７）に吊下げられる吊下げ用開口部について説明する。
【００３５】
本発明による取外し可能は取っ手１は、公知である自立できる形状としたうえに、図１に示す上部本体１０が上方となる安定した横置き状態も可能とした。これは、前記グリップ３１の下端部に平面部３４を設けたことにより上部本体１０を上側にして横置きを可能にしたものである。下部本体の下面側にはアーチ形状が形成されていて、テーブルとの間に指が入るスペースが確保できるので、取外し可能な取っ手１を握りやすくなる。
【００３６】
また、取外し可能な取っ手１の後端側を底面として自立させて置けるようにしたので、後端面７０は自立させるための重心を考慮したうえで、自立させるのに必要な面積を確保している。そのために、吊下げ用として取っ手本体部２に上部本体１０から下部本体２０に亘って貫通する貫通孔７１を設けただけでは、本体部２の厚みがあるために、例えば図７に示すフック形状で、Ｌ長が短い、もしくはＨ高が高いものでは貫通孔７１を貫通することができず吊下げることができない。
【００３７】
各種のフック形状に対応可能とするために、本体部２の後端面７０に開口部７２を設けた。開口部７２は、前記上部本体１０から下部本体２０に亘って貫通する貫通孔７１と連通させ、吊下げフックの曲げ先端部を開口部７２から臨ませるようにしている。図８に取外し可能な取っ手１をフックに吊下げた状態の例を示す。
【００３８】
また、図２、図４（ｂ）図５（ｂ）に示すように、取っ手本体部２内部の前記貫通孔７１の周囲には略コの字状のリブ７３を樹立させ、上部本体１０と下部本体２０を相互にネジで接合すれば、本体部２の中央部から前方に配置された部材に埃や水がかからないように隔壁が形成される。
【符号の説明】
【００３９】
１                        取外し可能な取っ手
２                        本体部
３                        把持部
１０                      上部本体
１１                      操作部材
１２                      軸ピン
１２ａ                    回転軸
１３                      ロックピンカバー
１４                      軸ピン
１４ａ                    回転軸
１５                      トーションバネ
１６                      連結部材係合部
１７                      前端部
２０                      下部本体
２１                      固定部
２２                      開放用バネ収容部
２３                      後面板
２４                      ロックピン用バネ収容部
２５                      ガイド兼用ネジ
２６                      ネジ
３０                      クランパ
３１                      グリップ
３２                      係合部材
３３                      ホルダ
３４                      平面部
３５                      角孔
３６                      開放用バネ
３７                      後端部
３８                      摺動案内孔
３９                      丸孔部
４０                      連結部材
４１                      端部
４２                      端部
４３                      軸ピン
４４                      軸ピン
５０                      ロックピン
５１                      押下部
５２                      ストッパ部
５３                      小径部
５４                      大径部
６０                      カバー
７０                      後端面
７１                      貫通孔
７２                      開口部
７３                      リブ
【図１】
2014108266.tif 000003
【図２】
2014108266.tif 000004
【図３】
2014108266.tif 000005
【図４】
2014108266.tif 000006
【図５】
2014108266.tif 000007
【図６】
2014108266.tif 000008
【図７】
2014108266.tif 000009
【図８】
2014108266.tif 000010